(57)【要約】【課題】見栄えのいい指針照明が可能な発光指針を得ること【解決方法】連結部材１と、回転基部２２とを有し回転基部２２から導入される光によって発光する透光部材２と、指針キャップ３とを有し、連結部材１に指針軸４１の軸方向に対して交差する第1の方向１５に伸長し回転基部２２を搭載する台座部１２を設け、回転基部２２に指針キャップ３に覆われる非発光部２２１と指針キャップ３から露出し指示部２１と連続して発光する発光部２２２とを設け、台座部１２と対向する回転基部２２の壁面２２３が第1の方向１５とは異なる第２の方向１６に傾斜してなる発光指針において、台座部１２に台座部１２と壁面２２３との間から回転基部２２に入射する光を遮断する遮光部１２２を設けた。【選択図】図２
2010107407.tif 000002
【特許請求の範囲】
【請求項１】
計器本体の指針軸に連結される遮光性材料からなる連結部材と、前記指針軸の軸方向に対して交差する方向に伸びる指示部と前記連結部材を通じて前記指針軸に連結される回転基部とを有し当該回転基部から導入される光によって発光する透光部材と、前記回転基部の外周を覆う遮光性材料からなる指針キャップとを有し、前記連結部材に前記指針軸の軸方向に対して交差する第1の方向に伸長し前記回転基部を搭載する台座部を設け、前記回転基部に前記指針キャップに覆われる非発光部と前記指針キャップから露出し前記指示部と連続して発光する発光部とを設け、前記台座部と対向する前記回転基部の壁面が前記第1の方向とは異なる第２の方向に傾斜してなる発光指針において、前記台座部に当該台座部と前記壁面との間から前記回転基部に入射する光を遮断する遮光部を設けたことを特徴とする発光指針。
【請求項２】
前記遮光部は、前記台座と一体形成されてなることを特徴とする請求項１に記載の発光指針。
【請求項３】
前記遮光部は、前記台座部と前記壁面との間に空間部が形成されるように設けられることを特徴とする請求項１に記載の発光指針。
【発明の詳細な説明】
【技術分野】
【０００１】
本発明は、例えば車両用計器に用いられ、車両、船舶、農耕機械などの走行状態や運転状況などを指示する発光指針に関するものである。
【背景技術】
【０００２】
従来の発光指針としては、例えば特許文献１に記載のものが知られている。この発光指針は、光源からの光を受入れる受光部を有し、入射した光は反射部側に通過したあとに、指針本体部の先端側へ反射し、この反射された光は反射膜によって前方側に反射され、これによって指針本体部が路線上の発光部を形成するものである。また、指針本体部の構造としては、指針の先端に向かうに従って表示板からの距離が長くなる傾斜を有し、台座を指針キャップの回転中心部にて圧入固定することで指針を保持するものである。
【特許文献１】特開２００１−２８１０１０号公報
【発明の開示】
【発明が解決しようとする課題】
【０００３】
しかしながら、特許文献１記載の発光指針にあっては、指針本体部が台座の中心から指針先端部に向かうに従って表示板からの距離が長くなるように傾斜を伴って形成されているため、表示板と平行になるように形成された台座上に指針本体部を配置したときに、その台座と指針本体部との間に隙間が生じ、この隙間から漏れた光が余分な光として意図しない箇所を照らしてしまうため、例えば、指針が部分的に明るくなるなど、見栄えが悪くなる虞があった。
【０００４】
本発明は、この様な点に鑑みなされたもので、余分な光によって指針が照明されてしまうことを防ぎ、見栄えのいい指針照明が可能な発光指針を提供することを目的とする。
【課題を解決するための手段】
【０００５】
本発明は前記課題を解決するため、計器本体の指針軸に連結される遮光性材料からなる連結部材と、前記指針軸の軸方向に対して交差する方向に伸びる指示部と前記連結部材を通じて前記指針軸に連結される回転基部とを有し当該回転基部から導入される光によって発光する透光部材と、前記回転基部の外周を覆う遮光性材料からなる指針キャップとを有し、前記連結部材に前記指針軸の軸方向に対して交差する第1の方向に伸長し前記回転基部を搭載する台座部を設け、前記回転基部に前記指針キャップに覆われる非発光部と前記指針キャップから露出し前記指示部と連続して発光する発光部とを設け、前記台座部と対向する前記回転基部の壁面が前記第1の方向とは異なる第２の方向に傾斜してなる発光指針において、前記台座部に当該台座部と前記壁面との間から前記回転基部に入射する光を遮断する遮光部を設けたものである。
【０００６】
また、本発明は、前記遮光部は、前記台座部と一体形成されてなるものである。
【０００７】
また、本発明は、前記遮光部は、前記台座部と前記壁面との間に空間部が形成されるものである。
【発明の効果】
【０００８】
見栄えのいい指針照明が可能な発光指針を得ることができる。
【発明を実施するための最良の形態】
【０００９】
以下、添付図面に基づいて、例えば車両用計器装置に適用した本発明の実施例を説明する。図１は本発明の一実施形態による発光指針の斜視図である。図２は指針計器の要部断面図である。  図１、２において、本実施形態による発光指針は、連結部材１と、透光部材２と、指針キャップ３と、計器本体４と、から主に構成されている。
【００１０】
連結部材１は、不透光性の樹脂材料からなり、その裏面側（図１における計器本体４側）に、計器本体４の指針軸４１に装着されるボス部１１と、指針軸４１とは直行する方向に延びる平面からなる台座部１２と、光沢を有し金属からなる板状の重り６が指針軸４１と略平行に配置されるための重り配置部１３と、ボス部１１と重り配置部１３との間には、回路基板７に搭載された発光ダイオードなどからなる光源８からの光が重り６及び透光部材２の回転基部２２へ導かれるための開口部１４とが設けられている。
【００１１】
透光部材２は、光透過性の樹脂材料からなり、表示板５の図示しない指標部を指示し、その裏面に２色箔がホットプリントされた指示部２１と、指示部２１と連続して形成され、透光部材２の回動中心付近において連結部材１に装着される回転基部２２とから構成される。
【００１２】
指針キャップ３は、不透光性である黒色の樹脂材料からなる円形の逆カップ状であり、連結部材１及び回転基部２２の周囲を覆い、その天面には指示部２１が指針キャップ３から露出するための窓部３１が設けられている。
【００１３】
計器本体４は、各構成部品１〜３を回動するための駆動源となるムーブメントを適用でき、回路基板７に固定保持される。また、計器本体４は、回路基板７に搭載された図示しない制御回路と接続し、この制御回路からの信号によって計測値の変化に応じて、指針軸４１を回動させることができる。
【００１４】
台座部１２には、台座部１２と一体形成された遮光部１２２が空間部１２１を囲うように形成されている。遮光部１２２は、台座部１２上に垂直に形成された壁からなり、その形状は後述する回転基部２２を台座部１２上に装着したときに、回転基部２２に対向する面に沿うように形成され、この場合、窓部３１の近傍において、回転基部２２と台座部１２の所定箇所（後述する壁面）との間に隙間ができないように回転基部２２に対向する面に当接する形状にて構成される。
【００１５】
開口部１４は、回路基板７に搭載される光源８から光が透光部材２へ通過するように形成されるものであり、この場合、光源８から照射される光が、回転基部２２の所定箇所（後述する受光部）と、重り配置部１３に設けられた重り６面の一部へ導くように開口している。
【００１６】
指示部２１及び回転基部２２は、図２に示すように、その連結部材１側の面が第1の方向１５（指針軸４１に対して垂直方向）とは異なる第２の方向１６に傾斜した傾斜面２１１を有している。本実施形態の場合、図２における左方向１６ａに行くにつれて（回転基部２２の回転中心付近から指示部２１の指示側となる先端側へ行くにつれて）傾斜面２１１が視認者側へ傾斜するように形成されている。
【００１７】
回転基部２２は、指針キャップ３に覆われる非発光部２２１と、指針キャップ３から露出し指示部２１と連続して発光する発光部２２２と、回転基部２２が台座部１２に搭載される際に台座部１２と対向する壁面２２３と、開口部１４を貫通した光源８からの光を回転基部２２に導くための受光部２２４と、受光部２２４から入射した光を指示部２１方向に反射させる反射部２２５とを備えている。
【００１８】
次に、本実施形態における指針の組付けを説明する。透光部材２は、台座部１２に設けられた遮光部１２２上に配置され、その指示部２１を指針キャップ３に設けられた窓部３１から導出させるようになっている。（指針キャップ３を逆さにして）指示部２１を窓部３１に通し、発光部分である指示部２１を露出させる。重り６は、組付け状態において板状の金属面が指針キャップ３の側壁面に沿うように重り配置部１３に配置される。台座部１２の図示しない固定部が指針キャップ３の側壁内面に設けられた図示しないフックに係合し、指針キャップ３の上部内面とフックとの間で連結部材１及び透光部材２が保持される。
【００１９】
次に、本実施形態における光の進行経路を説明する。光源８から出射し、開口部１４を通過して受光部２２４より入射した光は、反射部２２５によって指示部２１方向に反射され、その反射された光が壁面２２３によって更に反射され、乱反射を繰り返し、指示部２１を導光し、その一部の光が視認者側へ届くように照明される。
【００２０】
なお、光源８から出射し、開口部１４を通過して重り６側に照射した光は、回転基部２２の近傍に設けられる重り６の表面で受光部２２４方向に反射され、受光部２２４から回転基部２２内に入射し指示部２１を照明する。従って、本実施形態では、重り６によって反射部２２５と同様に光源８からの光を受光部２２４に反射して導くことができるので、更に効率よく指針を照明することができる。
【００２１】
この様に、計器本体４の指針軸４１に連結される遮光性材料からなる連結部材１と、指針軸４１の軸方向に対して交差する方向に伸びる指示部２１と連結部材１を通じて指針軸４１に連結される回転基部２２とを有し当該回転基部２２から導入される光によって発光する透光部材２と、回転基部２２の外周を覆う遮光性材料からなる指針キャップ３とを有し、連結部材１に指針軸４１の軸方向に対して交差する第1の方向１５に伸長し回転基部２２を搭載する台座部１２を設け、回転基部２２に指針キャップ３に覆われる非発光部２２１と指針キャップ３から露出し指示部２１と連続して発光する発光部２２２とを設け、台座部１２と対向する回転基部２２の壁面２２３が第1の方向１５とは異なる第２の方向１６に傾斜してなる発光指針において、台座部１２に当該台座部１２と壁面２２３との間から回転基部２２に入射する光を遮断する遮光部１２２を設けたことにより、台座部１２と回転基部２２との間に隙間が生じるのを防ぐことができる。これによって、隙間から余分な光が指針キャップ３内に漏れて、意図しない箇所（例えば、指示部２１の一部分）を照らしてしまうことを防ぐことができ、照明むらのない見栄えのいい指針照明が可能な発光指針を得ることができる。
【００２２】
また、遮光部１２２は、台座部１２と一体形成されていることにより、部品点数が削減されるため、組付け作業を簡素化することができる。
【００２３】
また遮光部１２２は、台座部１２と壁面２２３との間に空間部１２１が形成されることにより、連結部材１を射出成形した際に、壁面２２３においてヒケが発生するのを防ぐことができるため、収縮（ヒケ）によって歪んだ箇所からの光漏れを防止できる発光指針となる。
【図面の簡単な説明】
【００２４】
【図１】本発明の一実施形態における発光指針の斜視図。
【図２】同上の指針要部断面図。
【符号の説明】
【００２５】
１      連結部材
２      透光部材
３      指針キャップ
４      計器本体
５      表示板
６      重り
７      回路基板
８      光源
１１    ボス部
１２    台座部
１３    重り配置部
１４    開口部
１５    第１の方向
１６    第２の方向
２１    指示部
２２    回転基部
３１    窓部
４１    指針軸
１２１  空間部
１２２  遮光部
２１１  傾斜面
２２１  非発光部
２２２  発光部
２２３  壁面
２２４  受光部
２２５  反射部
【図１】
2010107407.tif 000003
【図２】
2010107407.tif 000004